(57)【特許請求の範囲】
【請求項１】
情報を表示する第１の画面を有する情報表示部（１０１）と，
タッチパネル機能を有する第２の画面を有するタッチパネル部（１０２）と，を具備する携帯電話において，
前記タッチパネル部（１０２）は，前記第２の画面に，０から９のテンキー，＊及び♯のキー，及び上下左右のカーソル移動ボタンを含む操作ボタンを表示させるものであり，
前記タッチパネル部（１０２）の前記第２の画面に表示される前記操作ボタンの配置は，適宜変更可能であり，
前記タッチパネル部（１０２）には，前記第２の画面表面であって，前記第２の画面に表示される前記操作ボタンの配置に応じた位置に，立体的なボタン（２）が貼り付けられており，
前記立体的なボタン（２）は，前記操作ボタン毎に独立して設けられている
携帯電話（１）。
【発明の詳細な説明】
【技術分野】
【０００１】
本発明は，ボタンを押しやすいタッチパネル式携帯電話などに関する。
【背景技術】
【０００２】
従来から，操作ボタンを表示するタッチパネル式の携帯電話が知られている（たとえば，下記特許文献１）を参照。
【０００３】
一般的な携帯電話は，操作部に立体的なボタンが設けられている。このため，携帯電話を使い慣れている者は，立体的なボタンの配置を覚えているので操作部を見なくても，必要なボタンを押すことができる。一方，タッチパネル式の操作部を有する携帯電話では，そのような立体的なボタンがないので，いちいち操作部を見なければ，ボタンを押せないという問題がある。
【特許文献１】特開２００７−３６５４４号公報
【発明の開示】
【発明が解決しようとする課題】
【０００４】
本発明は，タッチパネルを採用しても，ボタンを押しやすいタッチパネル式携帯電話を提供することを目的とする。      
【課題を解決するための手段】
【０００５】
本発明は，基本的には，操作部にタッチパネルを採用し，表示部の上面にあえてボタンを設けることで，従来の携帯電話と同様の操作部を見なくても，必要なボタンを押すことができるという知見に基づくものである。
【０００６】
すなわち，本発明の第１の側面は，情報を表示する第１の画面を有する情報表示部（１０１）と，タッチパネル機能を有する第２の画面を有するタッチパネル部（１０２）と，を具備する携帯電話において，前記タッチパネル部（１０２）は，前記第２の画面表面に，前記第２の画面に表示されるテンキーに応じた立体的なボタン（２）を有する，携帯電話（１）に関する。
【０００７】
また，本発明の第２の側面は，タッチパネル機能を有する携帯電話のタッチパネル部（１０２）に貼り付けるシートであって，前記携帯電話に表示されるテンキーに応じた立体的なボタン（２）を有する，貼り付けシートに関する。すなわち，このような貼り付けシートを，携帯電話のタッチパネル部（１０２）に貼り付けることで，テンキーに応じた立体的なボタン（２）を有する，携帯電話（１）を得ることができる。
【発明の効果】
【０００８】
本発明によれば，操作部のタッチパネル上に立体的なボタンを設けることで，従来の携帯電話と同様に，操作部を見なくても必要なボタンを押すことができる。
【発明を実施するための最良の形態】
【０００９】
図１は，本発明のある実施形態にかかる携帯電話機（携帯電話）を示した外観図である。図１において，携帯電話機１は２つの筐体，すなわち上部筐体１１と下部筐体１２とで構成される。上部筐体１１は表示部１０１を備え，下部筐体１２はタッチパネル部１０２を備えている。なお，本発明の携帯電話は，ひとつの筐体により構成されるものであっても構わない。すなわち，本発明の第１の側面は，情報を表示する第１の画面を有する情報表示部（１０１）と，タッチパネル機能を有する第２の画面を有するタッチパネル部（１０２）と，を具備する携帯電話において，前記タッチパネル部（１０２）は，前記第２の画面表面に，前記第２の画面に表示されるテンキーに応じた立体的なボタン（２）を有する，携帯電話（１）に関する。
【００１０】
図２は，電源オフ時の携帯電話の様子を示す概念図である。図２に示されるように，本発明の携帯電話は，立体的なボタンを有するので，電源オフ時にも立体的なボタンを有している。
【００１１】
図１に示されるように０から９のテンキー及び＊及び♯のキーの部分に設けられていてもよい。また，立体的なボタンは，０から９のテンキー，＊及び♯のキー及び上下左右操作ボタンに応じて設けられてもよい。さらに，立体的なボタンは，メニューボタン，スイッチオンオフボタンに応じて設けられていてもよい。操作部のタッチパネル上に立体的なボタンを設けることで，従来の携帯電話と同様に，操作部を見なくても必要なボタンを押すことができる。
【００１２】
立体的なボタンは，タッチパネル面の上方に設けられた突起状のものであれば，どのような形状でも構わない。具体的には，図１に示されるような楕円型であってもよいし，球の一部の形状であってもよい。立体的なボタンのタッチパネル面からの最大高さとして，０．１ｍｍ以上５ｍｍ以下があげられ，０．５ｍｍ以上３ｍｍ以下であってもよい。
【００１３】
立体的なボタンは，表示を邪魔しないように，透明な樹脂などにより製造されるものが好ましい。また，立体的なボタンは，タッチパネルの種類などに応じて，タッチパネルの機能を損なわないような材質により構成することができる。たとえば，タッチパネルが，受けた圧力を上方に変換するものの場合は，比較的やわらかい素材で立体的なボタンを製造することで,受けた圧力をタッチパネルに伝えることができる。
【００１４】
表示部１０１は，上部筐体１１に設けられ，利用者に示すべき情報を表示する液晶ディスプレイ（第１の画面）である。タッチパネル部１０２は，実行中のアプリケーションに応じて各種操作ボタンが表面に表示され，表示された操作ボタンへの利用者による接触操作を指示入力として取り込むタッチパネル機能を備えた液晶ディスプレイ（第２の画面）である。
【００１５】
特に図示しないが，本発明の携帯電話は，通常の携帯電話と同様，無線通信部，アンテナ，音声処理部，マイク，スピーカ，ＣＰＵ，ＲＯＭ，ＲＡＭなどを具備し，各要素はバスなどを介して情報を授受することができるように接続されている。
【００１６】
無線通信部は，送信信号によって搬送波を変調してアンテナから送信し，また，アンテナによって受信した信号を復調し，音声処理部またはバスラインへ出力するものである。アンテナは無線基地局との間で電波信号の送受信を行う。音声処理部は，マイクが集音したアナログ音声をデジタル信号に変換し圧縮して無線通信部へ出力する。また，音声処理部は無線通信部で復調されたデジタル音声データを伸張しアナログ音声信号に変換して，スピーカへ出力し発音させる。マイクは，音声をアナログ信号として集音し音声処理部へ出力する。スピーカは，音声処理部から入力したアナログ音声信号を発音する。ＣＰＵは，携帯電話機内の各部を制御するＣＰＵである。ＲＡＭは，ＣＰＵが使用するメモリ領域を提供する。ＲＡＭは例えば，各アプリケーション起動時に表示部およびタッチパネル部にどのような情報を表示するかのデフォルト設定や，各アプリケーション起動中にタッチパネル部に表示する操作ボタンの種類および配置を記憶する。ＲＯＭは，ＣＰＵが実行するプログラム等を保持する。
【００１７】
利用者が携帯電話機１のタッチパネル部１０２を操作してアプリケーションを起動すると，ＣＰＵはタッチパネル部１０２の表示機能が有効に設定されているかを確認する。ここで利用者は，表示機能を無効にしてタッチパネル部１０２を操作機能としてのみ使用するか，あるいは表示機能を有効にして操作機能および表示機能の双方の機能を持つものとして使用するかを予め選択して設定する。
【００１８】
タッチパネル部１０２の表示機能が無効になっている場合，ＣＰＵはアプリケーション表示のデフォルトの設定をＲＡＭから読み出し，表示部１０１にアプリケーションの表示を，タッチパネル部１０２にアプリケーションの操作に必要となる各種操作ボタンの表示を行う。
【００１９】
一方，タッチパネル部１０２の表示機能が有効になっている場合，ＣＰＵはタッチパネル部１０２に表示する操作ボタンの種類および配置をＲＡＭから読み出す。
【００２０】
ここで，ＲＡＭに記憶されているデフォルトの設定では，例えば，上下のスクロールボタンおよびメニューの呼び出しボタンのみを操作ボタンとしてタッチパネル部１０２の画面下部に表示する。
【００２１】
また，メールを作成する画面では，文字入力等の操作が必要であるため，０から９のテンキー，＊および＃のキー，メニュー呼び出しボタンおよびカーソル移動ボタンをタッチパネル部１０２の画面全体に表示する。なお，タッチパネル部に表示する操作ボタンの種類および配置は，利用者がデフォルトの設定から自分に適した設定へと変更できる。
【００２２】
読み出した情報に基づいてＣＰＵがタッチパネル部１０２への各種操作ボタンの表示を終了すると，続いてタッチパネル部１０２に情報を表示するスペースがあるかどうかを判定する。情報を表示するスペースがない場合には，ＣＰＵは従来の携帯電話機と同様に表示部１０１にのみ起動中のアプリケーションに応じた表示を行う。
【００２３】
一方，情報を表示するスペースがある場合には，ＣＰＵは表示部１０１およびタッチパネル部１０２の開いたスペースの双方に起動中のアプリケーションに応じた表示を行う。例えば，受信したメールを表示する画面では，表示部１０１にはメール本文を，タッチパネル部１０２には当該メール本文の続きおよびメールに添付された画像を表示する。
【００２４】
以後，利用者がアプリケーションの実行中は，上記のステップを繰り返し実行する。このように，ＣＰＵはタッチパネル部１０２に情報を表示可能なスペースがあるかを常時監視し，スペースがあれば表示する。タッチパネル部１０２への表示を常時監視することで，利用者による操作を多く必要とするときは操作ボタンの表示を重点的に行い，利用者による操作をほとんど必要としないときには情報表示を重点的に行うというように，アプリケーションの動作状況に合わせて表示を動的に変化させることができる。  
【００２５】
図３は，本発明のシートを示す概念図である。図３（ａ）は正面図であり，図３（ｂ）は側面図である。図３（ａ）に示されるように，本発明のシートは，タッチパネル機能を有する携帯電話のタッチパネル部（１０２）に貼り付けるシートであって，前記携帯電話に表示されるテンキーに応じた立体的なボタン（２）を有する，貼り付けシートである。この貼り付けシートをタッチパネル部（１０２）に貼り付けることで，情報を表示する第１の画面を有する情報表示部（１０１）と，タッチパネル機能を有する第２の画面を有するタッチパネル部（１０２）と，を具備する携帯電話において，前記タッチパネル部（１０２）は，前記第２の画面表面に，前記第２の画面に表示されるテンキーに応じた立体的なボタン（２）を有する，携帯電話（１）となる。なお，この立体的なボタンの位置や数などは，適宜変更してもかまわない。シートは，透明な基板と，その基板上に設けられた立体的なボタンを有するものがあげられ，基板のうち立体的なボタンが設けられていない面には，タッチパネル部と接続するために接着剤が塗布されているものがあげられる。
【産業上の利用可能性】
【００２６】
本発明は，携帯電話などの産業において利用されうる。
【図面の簡単な説明】
【００２７】
【図１】図１は，本発明のある実施形態にかかる携帯電話機（携帯電話）を示した外観図である。
【図２】図２は，電源オフ時の携帯電話の様子を示す概念図である。
【図３】図３は，本発明のシートを示す概念図である。図３（ａ）は正面図であり，図３（ｂ）は側面図である。
【符号の説明】
【００２８】
１携帯電話
２ボタン部
１１上部筐体
１２下部筐体
１０１表示部
１０２タッチパネル部
【図１】
0004857213.tif 000002
【図２】
0004857213.tif 000003
【図３】
0004857213.tif 000004